(57)【要約】【課題】許容積載重量を従来より上げることが可能な箱体を提供する。【解決手段】本発明の箱体１０では、第２側壁５０の側部突壁５４が第１側壁３０の外側に重ねられることで、第１側壁３０の外側への変形が規制され、側部突壁５４の係合突部６２と第１側壁３０の側部係合溝３４Ｍとの凹凸係合により、第２側壁５０の外側への変形が規制される。そして、第２側壁５０の横リブ５５の両端部を側部突壁５４に接続したことで側部突壁５４の外側への変形も規制される。これらにより、箱体１０の許容積載重量を従来より上げることができる。しかも、横リブ５５にサイド突部６０を設けて各横リブ５５の両端部を中間部より突出させたので、横リブ５５と側部突壁５４との接続長を長く確保することができると共に、第１側壁３０の回動操作時には、第１側壁３０と横リブ５５の中間部との間の隙間を大きく確保することができる。【選択図】図２２
2014043252.tif 000002
【特許請求の範囲】
【請求項１】
上面が開口した直方体状をなし、その直方体における互いに対向した１対の第１側壁と残りの１対の第２側壁とを、底壁を含んだ底部ベースの外縁部に回動可能に連結してなり、前記１対の第１側壁を前記底壁上に折り畳んでから、前記１対の第２側壁を前記第１側壁上に折り畳んで折畳状態になる一方、前記１対の第２側壁を起立させてから前記１対の第１側壁を起立させて組立状態になる箱体であって、蓋体を装着して又は上下を逆にして展示台として使用されるか或いは、収納箱として使用される箱体において、
前記第２側壁の両側部を前記第１側壁側に直角に曲げてなり、それらの突出方向の中間位置より先端側が前記第１側壁の外側面に重ねられる側部突壁と、
前記側部突壁及び前記第１側壁の相互に重ねられる部分の一方と他方とに設けられて、互いに凹凸係合する係合突部及び係合凹部と、
前記第２側壁の内側面の横方向全体に亘って延びかつ両端部が前記側部突壁に接続された横リブと、
前記横リブのうち前記側部突壁に接続された両端部を中間部に比べて前記第１側壁側に突出させてなるサイド突部とを備えたことを特徴とする箱体。
【請求項２】
前記サイド突部の先端に設けられて前記第２側壁の内側面と平行な突出平坦面と、
前記サイド突部のうち前記突出平坦面を挟んで前記側部突壁と反対側に形成されて、前記第２側壁の内側面に対して傾斜した傾斜ガイド面とを備えたことを特徴とする請求項１に記載の箱体。
【請求項３】
前記第１側壁の両側部には、上下方向に延びた溝状の前記係合凹部が形成される一方、前記側部突壁の内側面には、上下方向の延びた直方体状の前記係合突部が形成されたことを特徴とする請求項１又は２に記載の箱体。
【発明の詳細な説明】
【技術分野】
【０００１】
本発明は、互いに対向した１対の第１側壁と残りの１対の第２側壁とが底部ベースに回動可能に連結され、１対の第１側壁、１対の第２側壁の順番で折り畳んで折畳状態になる一方、１対の第２側壁、１対の第１側壁の順番で起立させて組立状態になり、第１側壁及び第２側壁の側縁部に備えた側壁係止部同士の係合によって第１側壁が起立状態に係止される箱体に関する。
【背景技術】
【０００２】
従来、この種の折り畳み可能な箱体として、収納箱として使用されるものや、蓋体を装着したり上下を逆にして展示台として使用されるものが知られている（例えば、特許文献１参照）。
【先行技術文献】
【特許文献】
【０００３】
【特許文献１】実用登録第３１６７１２９号公報（図１，図２，図９）
【発明の概要】
【発明が解決しようとする課題】
【０００４】
ところで、折り畳み可能な箱体では、許容積載重量を超えた荷重を上方から受けると第１側壁及び第２側壁がそれぞれ外側に変形して箱体の上面が斜めになり、その箱体の上面に載置した展示物や別の箱体がずれ落ちる事態が生じる。
【０００５】
本発明は、上記事情に鑑みてなされたもので、許容積載重量を従来より上げることが可能な箱体の提供を目的とする。
【課題を解決するための手段】
【０００６】
上記目的を達成するためになされた請求項１の発明に係る箱体は、上面が開口した直方体状をなし、その直方体における互いに対向した１対の第１側壁と残りの１対の第２側壁とを、底壁を含んだ底部ベースの外縁部に回動可能に連結してなり、１対の第１側壁を底壁上に折り畳んでから、１対の第２側壁を第１側壁上に折り畳んで折畳状態になる一方、１対の第２側壁を起立させてから１対の第１側壁を起立させて組立状態になる箱体であって、蓋体を装着して又は上下を逆にして展示台として使用されるか或いは、収納箱として使用される箱体において、第２側壁の両側部を第１側壁側に直角に曲げてなり、それらの突出方向の中間位置より先端側が第１側壁の外側面に重ねられる側部突壁と、側部突壁及び第１側壁の相互に重ねられる部分の一方と他方とに設けられて、互いに凹凸係合する係合突部及び係合凹部と、第２側壁の内側面の横方向全体に亘って延びかつ両端部が側部突壁に接続された横リブと、横リブのうち側部突壁に接続された両端部を中間部に比べて第１側壁側に突出させてなるサイド突部とを備えたところに特徴を有する。
【０００７】
請求項２の発明は、請求項１に記載の箱体において、サイド突部の先端に設けられて第２側壁の内側面と平行な突出平坦面と、サイド突部のうち突出平坦面を挟んで側部突壁と反対側に形成されて、第２側壁の内側面に対して傾斜した傾斜ガイド面とを備えたところに特徴を有する。
【０００８】
請求項３の発明は、請求項１又は２に記載の箱体において、第１側壁の両側部には、上下方向に延びた溝状の係合凹部が形成される一方、側部突壁の内側面には、上下方向の延びた直方体状の係合突部が形成されたところに特徴を有する。
【発明の効果】
【０００９】
［請求項１の発明］
請求項１の箱体では、第２側壁の両側部を直角に曲げてなる側部突壁が第１側壁の外側に重ねられることで、第１側壁の外側への変形が規制される。また、側部突壁と第１側壁の一方と他方とに設けられた係合突部と係合凹部とが凹凸係合することで、第２側壁の外側への変形が規制される。そして、第２側壁の内側面の横方向全体に亘って延びた横リブの両端部を側部突壁に接続したことで側部突壁の外側への変形も規制されて、第１側壁の外側への変形規制が強化されると共に、係合突部と係合凹部との凹凸係合の強度が上がって、第２側壁の外側への変形規制も強化される。これらにより、本発明によれば、箱体の許容積載重量を従来より上げることができる。しかも、横リブにサイド突部を設けて横リブの両端部を中間部より突出させたので、横リブの両端部と側部突壁との接続長を長く確保して側部突壁の補強を強化することができると共に、第１側壁の回動操作時には、その第１側壁と横リブの中間部との間の隙間を大きく確保することができ、第１側壁のスムーズな回動操作が可能になる。
【００１０】
［請求項２の発明］
請求項２の箱体によれば、第２側壁が起立状態で、第１側壁を起こして行く際に、第２側壁が正規の起立状態より僅かに内側に傾いていても、第１側壁の側縁部が第２側壁におけるサイド突部の傾斜ガイド面と摺接することで第２側壁を正規の起立状態にすることができる。そして、サイド突部の先端の突出平坦面に第１側壁を沿わせて移動し、係合突部と係合凹部とをスムーズに凹凸係合することができる。
【００１１】
［請求項３の発明］
請求項３の箱体では、係合凹部と係合突部とが、上下方向の延びた形状になっているので、第２側壁の外側への変形規制により係合凹部及び係合突部の間にかかる負荷を、それら係合凹部及び係合突部の長手方向（上下方向）に分散させて、係合凹部及び係合突部の変形を抑えることができる。
【図面の簡単な説明】
【００１２】
【図１】本発明の一実施形態に係る箱体と蓋体とからなる展示台の斜視図
【図２】蓋体の上面側の斜視図
【図３】蓋体の下面側の斜視図
【図４】底部ベースの上面側斜視図
【図５】底部ベースの下面側斜視図
【図６】底部ベースの下面側の一部拡大斜視図
【図７】底部ベースの第１支持突部の内面側斜視図
【図８】底部ベースの第１支持突部の外面側斜視図
【図９】底部ベースの第２支持突部の内面側斜視図
【図１０】底部ベースの第２支持突部の外面側斜視図
【図１１】第１側壁の内面側の斜視図
【図１２】第１側壁の外面側の斜視図
【図１３】第１側壁の外面側の一部拡大斜視図
【図１４】第１側壁の内面側の一部拡大斜視図
【図１５】底部ベースと第１側壁と第２側壁とが組み付けられた状態の斜視図
【図１６】第１側壁及び第２側壁の回動支持部分の斜視図
【図１７】第２側壁の内面側の斜視図
【図１８】第２側壁の外面側の斜視図
【図１９】第２側壁の内面側の一部拡大斜視図
【図２０】第１側壁と第２側壁との係合部分の斜視図
【図２１】互いに係合した第１側壁及び第２側壁の上部斜視図
【図２２】互いに係合した第１側壁及び第２側壁の一部破断斜視図
【図２３】一方の第１側壁が回動途中の状態の箱体の斜視図
【図２４】一方の第１側壁を折り畳んだ状態の箱体の一部破断斜視図
【図２５】両第１側壁が折り畳まれ、両第２側壁が起立した箱体の斜視図
【図２６】両第１側壁を折り畳んだ状態の箱体の一部破断斜視図
【図２７】両第１側壁を折り畳んだ状態の箱体の側断面図
【図２８】折畳状態の箱体の斜視図
【図２９】組立状態の箱体に蓋体を取り付けた状態の斜視図
【図３０】第１と第２の側壁の上端部に蓋体を嵌合した状態の下側斜視図
【図３１】折畳状態の箱体に蓋体を取り付けた状態の斜視図
【図３２】２つの箱体を１つの蓋体で連結した状態の斜視図
【図３３】２つの箱体を２つの蓋体で連結した状態の斜視図
【図３４】所定の態様に連結された展示台群の斜視図
【発明を実施するための形態】
【００１３】
以下、本発明の一実施形態を図１〜図３４に基づいて説明する。図１に示すように、本実施形態に係る箱体１０は、上面が開口した直方体状をなし、下面が開口した扁平直方体状の蓋体７０にて上面開口を閉塞されて展示台９０として使用される。
【００１４】
図２に示すように、蓋体７０は、水平かつ長方形の主平板７１上に複数の角形突部２８をマトリクス状に配列して備えると共に、その主平板７１の外縁部から蓋側壁７５を垂下して備えている。角形突部２８は、主平板７１を部分的に上方に膨出させてなり、平面形状が正方形でかつ上面は水平になっている。また、主平板７１の外縁側に並べられた角形突部２８の外側面は、蓋側壁７５の外側面より均一に内側にずらされ、これにより、主平板７１の上面のうち角形突部２８群より外側部分には、枠状外縁面２６が形成されている。また、蓋体７０の平面形状は、縦横の比が２：１の長方形になっていて、角形突部２８群の縦列同士の間、及び、角形突部２８群の横列同士の間の蓋上面溝２７は、蓋体７０の平面形状の長手方向を８等分する７つの仕切位置と短手方向を４等分する３つの仕切位置とに配されている。
【００１５】
図３に示すように、主平板７１の下面には、蓋下面リブ８０が備えられている。蓋下面リブ８０は、主平板７１のうち蓋上面溝２７の真裏から突出して全体が格子状をなし、蓋下面リブ８０の下面は蓋側壁７５と面一になっている。また、蓋体７０を長手方向中央で２分割してなる２つの半蓋体７０Ｈ，７０Ｈの下面四隅には、回動規制突部２９が突出形成されている。各回動規制突部２９は、角筒状をなし、角形突部２８の中央に配置されている。なお、図２に示すように、角形突部２８の上面壁２８Ａの上面には、回動規制突部２９の真裏となる位置を溝状に陥没させて突壁裏溝２９Ｍが形成されている。
【００１６】
図１に示すように、箱体１０の平面形状は、蓋体７０の平面形状と同じ長方形で、その縦横の比は２：１になっている。また、箱体１０は、その平面形状の長方形の長辺部分に配置された１対の第１側壁３０，３０と、短辺部分に配置された１対の第２側壁５０，５０と、それら第１側壁３０，３０及び第２側壁５０，５０の下端部を回動可能に支持する底部ベース１１とから構成されている。
【００１７】
なお、底部ベース１１、第１及び第２の側壁３０，５０、さらには、上記した蓋体７０は、何れも樹脂の成形品になっている。
【００１８】
図４に示すように、底部ベース１１は、箱体１０の底に位置する長方形の底壁１２を備え、その底壁１２の外縁部の長辺部分から１対の第１支持突部１３，１３が上方に突出すると共に、底壁１２の外縁部の短辺部分から１対の第２支持突部１４，１４が上方に突出した構造になっている。
【００１９】
図５に示すように、第１と第２の支持突部１３，１４は、共に下面開放の溝形構造になっている。具体的には、第１支持突部１３は、底壁１２の外縁部を上方に直角に曲げてなる第１内側壁１３Ａと、その第１内側壁１３Ａに外側から対向した第１外側壁１３Ｂと、それらの上端部の間を連絡した第１上部連絡壁１３Ｃとからなり、第２支持突部１４も同様に、第２内側壁１４Ａと第２外側壁１４Ｂと第２上部連絡壁１４Ｃとからなる。そして、第１及び第２の内側壁１３Ａ，１３Ａ，１４Ａ，１４Ａから枠形構造のベース内側枠壁１６が構成されると共に、第１及び第２の外側壁１３Ｂ，１３Ｂ，１４Ｂ，１４Ｂから枠形構造のベース外側枠壁１５が構成されている。
【００２０】
図２７に示すように、ベース外側枠壁１５の下面１５Ｃは、底壁１２の下面より下方に位置し、そのベース外側枠壁１５のうち底壁１２より下方に突出した部分が下面嵌合突壁１５Ｋになっている。また、図５に示すように、底壁１２の下面には、底部ベース１１の平面形状（箱体１０の平面形状でもある）における短手方向の全長を２等分する位置と、長手方向の全長を４等分する位置とにぞれぞれ底板下面リブ１２Ｌが突出形成されると共に、各底板下面リブ１２Ｌの延長線上には、ベース内側枠壁１６とベース外側枠壁１５との間を連絡する仕切リブ１５Ｍが備えられている。そして、仕切リブ１５Ｍ及び底板下面リブ１２Ｌの下面がベース外側枠壁１５の下面１５Ｃと面一になっている。
【００２１】
図５に示すように、底部ベース１１の下面の外縁部のうち仕切リブ１５Ｍによって仕切られた各部位の略中央には、ベース外側枠壁１５とベース内側枠壁１６との間を連絡する１対ずつの連絡リブ１５Ｌが設けられている。また、ベース外側枠壁１５とベース内側枠壁１６との間は、第２支持突部１４の第２内側壁１４Ａを延長してなる延長リブ１５Ｎによっても連絡されている。これら連絡リブ１５Ｌ及び延長リブ１５Ｎの下面は、図６に示すように、底壁１２の下面と面一になって、ベース外側枠壁１５の下面１５Ｃより上方に位置している。なお、図４に示すように、底壁１２の上面には、底部ベース１１の平面形状における短手方向の全長を４等分する位置と、長手方向の全長を８等分する位置とにぞれぞれ底板上面リブ１２Ｍが突出形成され、これら底板上面リブ１２Ｍ全体が格子状になっている。
【００２２】
第１支持突部１３は、両第２支持突部１４，１４の第２内側壁１４Ａ，１４Ａの間を連絡するように延び、その第１支持突部１３の長手方向の中央部には、第１支持突部１３の一部を第２支持突部１４と同じ高さまで上方に突出させて中央支持突部１７が形成されている。また、第１支持突部１３のうち中央支持突部１７を除く全体は、第２支持突部１４より低い均一な高さになっていて、その上面１３Ｊと内側面１３Ｅとが交差する角部全体には、面取斜面１３Ｄが形成されている。また、第１支持突部１３のうち中央支持突部１７の両隣と、各第２支持突部１４，１４寄りの両端寄り位置とには、第１側壁３０を回動可能に支持するためのヒンジ凹部１９が設けられている。
【００２３】
図７に示すように、ヒンジ凹部１９は、第１支持突部１３の上面１３Ｊにおける外側面１３Ｆ寄り位置から内側面１３Ｅの上下方向の中間位置に亘って開口している。また、ヒンジ凹部１９の開口の一部は、上面１３Ｊで両側方に段付き状に広げられてピン導入孔１９Ｈ，１９Ｈになっている。
【００２４】
各ヒンジ凹部１９の内部のうち第１支持突部１３の内側面１３Ｅから最も離れた奥面には、第１支持突部１３の第１外側壁１３Ｂが配置され、ヒンジ凹部１９の最下部は、第１内側壁１３Ａにおけるヒンジ凹部１９の下端開口縁と第１外側壁１３Ｂ側の奥面との間を連絡する凹部底壁１９Ａにて閉塞されている。また、ヒンジ凹部１９の両内側面は、ヒンジ凹部１９の開口の両側縁部と第１外側壁１３Ｂ側の奥面及び凹部底壁１９Ａの上面との間を連絡する凹部側壁１９Ｂ（図７には、一方の凹部側壁１９Ｂのみが示されている）にて閉塞されている。そして、各凹部側壁１９Ｂには、各ピン導入孔１９Ｈの下方位置を各溝状に陥没させてピン係合溝１９Ｊが形成されている。また、ピン係合溝１９Ｊの上端部には、そのピン係合溝１９Ｊ内の１対の対向面から互いに接近するように突出した１対の係止突起１９Ｃ，１９Ｃが設けられている。それら両係止突起１９Ｃ，１９Ｃには、下端部に略水平な係止面１９Ｄ，１９Ｄが備えられると共に、上端部に上方に向かって互いに離間するように傾斜した導入斜面１９Ｅ，１９Ｅが備えられている。
【００２５】
図４に示すように、中央支持突部１７は、前述の底板上面リブ１２Ｍによって格子状に仕切られた升目の１．５倍程度の長さで第１支持突部１３の長手方向に延びている。また、図７に示すように、中央支持突部１７のうち第１支持突部１３の長手方向を向いた両側端面１７Ｔ，１７Ｔは、第１支持突部１３の上面１３Ｊから直角に起立している。さらに、中央支持突部１７の内側面１７Ｅは、その上縁部のみが第１支持突部１３の内側面１３Ｅと面一になっている。そして、中央支持突部１７の内側面１７Ｅには、その上縁部を除く全体を、第１支持突部１３の内側面１３Ｅより内側にずらすように膨出させて内側面膨出部１８が形成されている。また、内側面膨出部１８の上端部には、上方に向かって徐々に外側に向かうように傾斜した面取斜面１８Ｄが形成されている。さらに、中央支持突部１７の上部にも、上面１７Ｊと内側面１７Ｅとが交差する角部全体に面取斜面１７Ｄが形成されている。
【００２６】
図８に示すように、中央支持突部１７の外側面１７Ｆは、第１支持突部１３全体の外側面１３Ｆと面一になっている。また、中央支持突部１７の外側面１７Ｆのうち上端寄り位置には、水平段差面２０が形成されている。そして、中央支持突部１７のうち水平段差面２０より上側部分が、蓋体７０に内側に受容され得る支持上面突部２２になっている。また、中央支持突部１７の長手方向の中央には、支持上面突部２２を２分割するようにリブ受容溝２３が形成されている。
【００２７】
図９に示すように、第２支持突部１４は、底部ベース１１の平面形状における短手方向の全体に亘って延び、第２支持突部１４の側端面１４Ｔ，１４Ｔは、両第１支持突部１３，１３の外側面１３Ｆ，１３Ｆと面一になっている。第２支持突部１４の上端部には、上面１４Ｊと内側面１４Ｅとが交差する角部全体に、面取斜面１４Ｄが形成されている。また、第２支持突部１４の長手方向の両端寄り位置には、それぞれ前記第１支持突部１３のヒンジ凹部１９と同じ構造の１対のヒンジ凹部１９，１９が設けられている。なお、これら第２支持突部１４のヒンジ凹部１９，１９は、第１支持突部１３のヒンジ凹部１９より高い位置に配置されている。
【００２８】
図１０に示すように、第２支持突部１４の外側面１４Ｆ及び側端面１４Ｔ，１４Ｔの上端寄り位置には、中央支持突部１７の水平段差面２０と同じ水平段差面２０が形成され、第２支持突部１４のうち水平段差面２０より上側部分も上記した支持上面突部２２になっている。そして、中央支持突部１７の水平段差面２０と第２支持突部１４の水平段差面２０とが面一になり、かつ、第２支持突部１４における支持上面突部２２の両側部の外側面２１と中央支持突部１７の支持上面突部２２の外側面２１（図８参照）とが面一になっている。
【００２９】
図９に示すように、第２支持突部１４には、支持上面突部２２を４分割するように前記した中央支持突部１７のリブ受容溝２３と同じリブ受容溝２３が３箇所に形成されている。それらリブ受容溝２３は、第２支持突部１４のうち長手全体を４等分する３つの仕切位置に配置されている。また、それら３つのリブ受容溝２３のうち両端のリブ受容溝２３，２３は、第２支持突部１４における両ヒンジ凹部１９，１９の幅方向の中央に位置している。
【００３０】
次に、第１側壁３０について説明する。図１１に示すように、第１側壁３０は、全体が横長の長方形の主板壁３１を有し、その主板壁３１の下端部中央を長方形に切除して中央矩形凹部３０Ａを備えた構造になっている。また、主板壁３１の下縁部からは下縁補強リブ３６が内側に突出し、主板壁３１の上縁部からは上縁補強リブ３７が内側に突出し、主板壁３１の両側縁部からは第１側縁補強リブ３２，３２が内側に突出している。なお、これら下縁補強リブ３６、上縁補強リブ３７及び第１側縁補強リブ３２の主板壁３１からの突出量は、同じになっている。
【００３１】
下縁補強リブ３６の下面には、底部ベース１１の第１支持突部１３における複数のヒンジ凹部１９に対応した複数のヒンジ突部３９が設けられている。図１４に示すように、ヒンジ突部３９は、下縁補強リブ３６の下面から突出したピン支持突部３９Ｃの両側面から回動ピン３９Ｓ，３９Ｓを相反する方向に突出させた構造になっている。そして、回動ピン３９Ｓ，３９Ｓが、図７に示したヒンジ凹部１９のピン導入孔１９Ｈ，１９Ｈに押し込まれ、係止突起１９Ｃ，１９Ｃの間を押し広げるようにして通過し、ピン係合溝１９Ｊ，１９Ｊ内に抜け止めされている。より詳細には、図１４に示すように、ピン支持突部３９Ｃは、下縁補強リブ３６の下面から突出して第１側壁３０の横方向で対向した１対のピン支持突片３９Ｂ，３９Ｂを備え、それらピン支持突片３９Ｂ，３９Ｂのうち第１側壁３０の起立状態でヒンジ凹部１９内における第１外側壁１３Ｂ側と凹部底壁１９Ａ側の位置した外縁部同士の間を連絡壁３９Ａで連絡した構造になっている。また、回動ピン３９Ｓ，３９Ｓは、円柱状になして各ピン支持突片３９Ｂ，３９Ｂの外面における下端寄り位置に配置され、同軸上に並んでいる。そして、これら回動ピン３９Ｓ，３９Ｓが上述したようにピン係合溝１９Ｊ，１９Ｊに係合することで、回動ピン３９Ｓ，３９Ｓを中心にして底部ベース１１に対して第１側壁３０が回動し、図１６に示すように第１支持突部１３上に起立した起立状態と、図２７に示すように底壁１２上に重ねられた折畳状態とに変更することができる。また、第１側壁３０が起立状態になると、図１５に示すように、中央矩形凹部３０Ａに中央支持突部１７が嵌合された状態になる。
【００３２】
なお、本実施形態の箱体１０には、底部ベース１１における第１支持突部１３及び中央支持突部１７の上端部内縁角部に面取斜面１３Ｄ，１７Ｄが形成されているので回動ピン３９Ｓをピン係合溝１９Ｊ内の略一定の位置に位置させた状態のまま、第１側壁３０をスムーズに回動させることができる。
【００３３】
図１１に示すように、下縁補強リブ３６及び上縁補強リブ３７の両端部は、共に第１側縁補強リブ３２，３２と交差してそれら第１側縁補強リブ３２，３２より更に両側方まで延びている。そして、第１側縁補強リブ３２，３２の両側方には、下縁補強リブ３６及び上縁補強リブ３７の先端部の間を連絡した第２側縁補強リブ３３，３３が第１側縁補強リブ３２，３２と平行に上下方向に延びている。
【００３４】
主板壁３１の内面には、下縁補強リブ３６と上縁補強リブ３７との間の複数箇所で横方向に延びた複数の横リブ３５が備えられている。また、横リブ３５の一部である下記中央横リブ３５Ｂを除き、主板壁３１からの横リブ３５の突出量は、主板壁３１からの下縁補強リブ３６等の突出量より小さくなっている。さらに、横リブ３５は、下縁補強リブ３６及び上縁補強リブ３７と同様に、第１側縁補強リブ３２，３２と交差して更に両側方まで延びてそれらの先端が図１２に示すように第２側縁補強リブ３３，３３に接続されている。
【００３５】
図１１に示すように、複数の横リブ３５のうち最も下方に位置した横リブ３５（以下、適宜、「最下部の横リブ３５」という）は、中央矩形凹部３０Ａの上縁部の延長線上に配置され、その長手方向の中間部分は、主板壁３１からの突出量が下縁補強リブ３６等と同じ大きさの中央横リブ３５Ｂになっている。その中央横リブ３５Ｂは、中央矩形凹部３０Ａの横幅より両側方に長く延び、中央横リブ３５Ｂの中間部には、中央横リブ３５Ｂの一部を主板壁３１寄り位置まで切除して手差部３５Ｃが形成されている。また、手差部３５Ｃを形成した部分の中央横リブ３５Ｂは、他の部分に比べて主板壁３１からの突出量が小さくなっている。
【００３６】
図１４に示すように、第１と第２の側縁補強リブ３２，３３は、上縁補強リブ３７と交差して更に上方まで延びている。そして、上縁補強リブ３７の上面の両端部に備えた後述のコーナー嵌合ブロック４１のブロック上面壁４１Ａによって、第１と第２の側縁補強リブ３２，３３の上端部の間が連絡されている。また、第１と第２の側縁補強リブ３２，３３に左右方向から挟まれた領域のうち上縁補強リブ３７と最下部の横リブ３５とによって上下方向から挟まれた部分には、第１と第２の側縁補強リブ３２，３３の間を第１側壁３０の内側面側から閉塞した溝底壁３４が備えられ、これら溝底壁３４と第１と第２の側縁補強リブ３２，３３とによって側部係合溝３４Ｍ（本発明の「係合凹部」に相当する）が構成されている。
【００３７】
図１３に示すように、第１側壁３０の外側面側では、第２側縁補強リブ３３の外向先端面３３Ｃのうち最下部の横リブ３５より上側部分が、主板壁３１の外面より第１側壁３０の内側面側に僅かにずらして配置されている。また、第２側縁補強リブ３３の外向先端面３３Ｃのうち上端寄り位置から上側部分は、さらに、第１側壁３０の内側面側に僅かにずらして配置され、これに合わせて上縁補強リブ３７のうち第１と第２の側縁補強リブ３２，３３に挟まれた部分の外側縁部も、第２側縁補強リブ３３の上端部の外向先端面３３Ｃと面一になる位置までずらされている。そして、第１側壁３０の上端部において、第１及び第２の側縁補強リブ３２，３３と上縁補強リブ３７とブロック上面壁４１Ａとに囲まれた部分がブロックサブ前面壁４１Ｄによって第１側壁３０の外側面側から閉塞されている。
【００３８】
また、第１側壁３０のうち最下部の横リブ３５より下方側には、主板壁３１の一部を第１側縁補強リブ３２より更に側方に延長して主板突壁３１Ｄが形成され、その主板突壁３１Ｄによって第１と第２の側縁補強リブ３２，３３の間が、第１側壁３０の外側面側から閉塞されている。また、横リブ３５群のうち最下部の横リブ３５は、第２側縁補強リブ３３と第１側縁補強リブ３２とに挟まれた部位は、他の横リブ３５の同じ部位に比べて外側に張り出していて主板突壁３１Ｄの上縁部に接続されている。
【００３９】
図１１に示すように、主板壁３１の内面には、１対の第１側縁補強リブ３２，３２の間の複数箇所で上下方向に延びて下縁補強リブ３６と上縁補強リブ３７との間を連絡する複数の縦リブ３８が備えられている。これら縦リブ３８は、箱体１０の平面形状の長手方向を８等分する７つの仕切位置のうち、中心の両隣となる２つの仕切位置と、両端の２つの仕切位置とに配置されている。その結果、これら縦リブ３８は、図１５に示すように、底部ベース１１の長手方向に並んだ７つの底板上面リブ１２Ｍのうち中心の底板上面リブ１２Ｍの両隣の底板上面リブ１２Ｍ１，１２Ｍ１と、両端の底板上面リブ１２Ｍ２，１２Ｍ２（図１５には、一方の底板上面リブ１２Ｍ２のみが示されている）とに対応した配置になっている。
【００４０】
また、縦リブ３８群のうち中央寄りの２つの縦リブ３８，３８に関しては、最下部の横リブ３５より下側部分が、上側部分に比べて第１側壁３０から大きく突出して基端強化リブ３８Ｂ，３８Ｂになっている。また、基端強化リブ３８Ｂ，３８Ｂの第１側壁３０からの突出量は、下縁補強リブ３６の突出量と同じになっている。これに対し、基端強化リブ３８Ｂ以外の縦リブ３８群の全体の第１側壁３０からの突出量は、横リブ３５の突出量と同じになっている。また、最下部の横リブ３５のうち中央寄りの２つの縦リブ３８，３８に挟まれた範囲が、前記した中央横リブ３５Ｂになっている。さらに、中央矩形凹部３０Ａ内の両内側縁からは、基端強化リブ３８Ｂ，３８Ｂと同じ大きさの１対の基端強化リブ３８Ｃ，３８Ｃが内側に突出していて、それらの上端部が中央横リブ３５Ｂに接続されている。
【００４１】
図１２に示すように、第１側壁３０における主板壁３１の外面には、横リブ３５、縦リブ３８及び基端強化リブ３８Ｃ（図１１参照）の真裏になる位置を窪ませてリブ裏溝３０Ｍが形成されている。このリブ裏溝３０Ｍを形成したことで、第１側壁３０の樹脂成形時の横リブ３５等に起因したヒケによる歪みが目立たなくなる。
【００４２】
図１１に示すように、上縁補強リブ３７の上面には、その長手方向の両端部に１対のコーナー嵌合ブロック４１，４１が設けられると共に、それらコーナー嵌合ブロック４１，４１の間に複数（例えば、６つ）の嵌合ブロック４０が設けられている。コーナー嵌合ブロック４１及び嵌合ブロック４０は、共に、第１側壁３０の内側面側が開放した横長の箱形構造になっている。
【００４３】
具体的には、嵌合ブロック４０は、上縁補強リブ３７から起立して第１側壁３０の横方向で互いに対向した１対の四角形のブロック側面壁４０Ｂ，４０Ｂにおける上縁部の間をブロック上面壁４０Ａにて閉塞すると共に、それらブロック側面壁４０Ｂ，４０Ｂにおける第１側壁３０の外側面側の縁部の間をブロック前面壁４０Ｃ（図１２参照）にて閉塞した構造になっている。
【００４４】
また、図１４に示すように、コーナー嵌合ブロック４１は、その横方向の一端が第２側縁補強リブ３３の上端部によって構成される一方、横方向の他端が嵌合ブロック４０のブロック側面壁４０Ｂと同形状のブロック側面壁４１Ｂによって構成されている。また、コーナー嵌合ブロック４１の上面は、嵌合ブロック４０におけるブロック上面壁４０Ａの延長線上に配置されたブロック上面壁４１Ａによって構成され、そのブロック上面壁４１Ａは、上縁補強リブ３７の端部の形状と同様に、第２側縁補強リブ３３側が幅狭になっている。そして、このブロック上面壁４１Ａによってブロック側面壁４１Ｂと第２側縁補強リブ３３の上縁部の間が閉塞されている。また、ブロック上面壁４１Ａの長手方向の幅狭になる境界位置に第１側縁補強リブ３２の上端部が接続されている。さらに、第１側壁３０の外側面側では、第１側縁補強リブ３２と第２側縁補強リブ３３との間が、前述したようにブロックサブ前面壁４１Ｄによって閉塞される一方、その反対側の第１側縁補強リブ３２とブロック側面壁４１Ｂとの間が、嵌合ブロック４０におけるブロック前面壁４０Ｃの延長線上に配置されたブロック前面壁４１Ｃにて閉塞されている。
【００４５】
隣り合った嵌合ブロック４０，４０同士の間及び嵌合ブロック４０とコーナー嵌合ブロック４１との間には、それぞれ分割溝２４が形成されている。これら複数の分割溝２４は、箱体１０の平面形状を縦方向で８等分する７つの仕切位置に配置され、その結果、図１５に示すように、底板上面リブ１２Ｍのうち底部ベース１１の長手方向に並んだ７つの底板上面リブ１２Ｍに対応した配置になっている。
【００４６】
図１３に示すように、嵌合ブロック４０及びコーナー嵌合ブロック４１のブロック前面壁４０Ｃ，４１Ｃは、主板壁３１の外面より内側よりにずらされ、これにより、上縁補強リブ３７の上面のうち嵌合ブロック４０及びコーナー嵌合ブロック４１より外側に、段差水平面２５が形成されている。この段差水平面２５は、前述した底部ベース１１における水平段差面２０と、略同一の奥行きを有している。また、段差水平面２５と分割溝２４の底面とは面一になっている。
【００４７】
次に、第２側壁５０について説明する。図１７に示すように、第２側壁５０は、全体が横長の長方形の主板壁５１を有し、その主板壁５１の両側部を底部ベース１１側に直角に曲げて１対の側部突壁５４，５４を備えた構造になっている。また、主板壁５１の下縁部からは下縁補強リブ５２が内側に突出し、主板壁５１の上縁部からは上縁補強リブ５３が内側に突出している。なお、これら下縁補強リブ５２及び上縁補強リブ５３の主板壁５１からの突出量は、同じになっていて、主板壁５１からの側部突壁５４の突出量より小さくなっている。
【００４８】
下縁補強リブ５２の下面には、前述した第１側壁３０のヒンジ突部３９と同じ構造の１対のヒンジ突部３９が、底部ベース１１の第２支持突部１４における１対のヒンジ凹部１９に対応した位置に設けられている。そして、各ヒンジ突部３９の回動ピン３９Ｓ，３９Ｓが第２支持突部１４の各ヒンジ凹部１９におけるピン係合溝１９Ｊ，１９Ｊに係合することで、回動ピン３９Ｓ，３９Ｓを中心にして底部ベース１１に対して第２側壁５０が回動し、図１６に示すように第２支持突部１４上に起立した起立状態と、図２８に示すように第１側壁３０，３０の上に重ねられた折畳状態とに変更することができる。
【００４９】
なお、本実施形態の箱体１０には、底部ベース１１における第２支持突部１４の上端部内縁角部に面取斜面１４Ｄが形成されているので回動ピン３９Ｓをピン係合溝１９Ｊ内の略一定の位置に位置させた状態のまま、第２側壁５０をスムーズに回動させることができる。
【００５０】
上縁補強リブ５３の上面には、その長手方向に複数（例えば、４つ）の嵌合ブロック５６が並べて設けられている。各嵌合ブロック５６は、第１側壁３０の各嵌合ブロック４０と同一構造でかつ同じ大きさになっている。即ち、各嵌合ブロック５６は、上縁補強リブ５３から起立した１対のブロック側面壁５６Ｂ，５６Ｂの間の上面側と外面側とをブロック上面壁５６Ａとブロック前面壁５６Ｃとで閉塞してなり、第２側壁５０の内側面側が開放した横長の箱形構造になっている。また、隣り合った嵌合ブロック５６，５６の間には、第１側壁３０の隣り合った嵌合ブロック４０，４０同士の間の分割溝２４と同一の分割溝２４がそれぞれ形成され、それら複数の分割溝２４は、箱体１０の平面形状の短手方向を４等分する３つの仕切位置に配置されている。
【００５１】
図１８に示すように、嵌合ブロック５６のブロック前面壁５６Ｃは、主板壁５１の外面より内側よりにずらされ、上縁補強リブ５３の上面のうち嵌合ブロック５６より外側には、第１側壁３０の段差水平面２５と同一の段差水平面２５が形成されている。また、側部突壁５４の上方には、側部突壁５４側に配置された各嵌合ブロック５６における一方のブロック側面壁５６Ｂを延設されたコーナー突片５７が備えられている。これらコーナー突片５７とブロック側面壁５６Ｂの外面は面一になっていて、側部突壁５４の外面より内側よりにずらされている。これにより、側部突壁５４上にも段差水平面２５が形成され、その側部突壁５４上の段差水平面２５と上縁補強リブ５３上の段差水平面２５とが面一になって繋がっている。
【００５２】
図１７に示すように、側部突壁５４の内面には、その先端縁に沿って複数（例えば、３つ）の係合突部６２が設けられ、それら隣り合った係合突部６２，６２同士の間が突部分割溝６２Ｍになっている。各係合突部６２は、縦長の箱形構造になって、その一面が上記した嵌合ブロック５６と同じ方向を向いて開放している。具体的には、係合突部６２は、側部突壁５４の内面から起立して上下方向で対向する１対の突部側面壁６２Ｂ，６２Ｂの先端間を突部先端壁６２Ａで閉塞すると共に、それら突部側面壁６２Ｂ，６２Ｂの間の主板壁５１側を突部前面壁６２Ｃで閉塞してなる。また、複数の係合突部６２のうち最下部の係合突部６２は、他の係合突部６２に比べて上下方向に短くなっている。さらに、各係合突部６２のうち突部側面壁６２Ｂと突部先端壁６２Ａとが交差する角部は、最下部の係合突部６２における下端部を除き、全て傾斜面を備えるように面取りされている。また、図１９に示すように、突部先端壁６２Ａと突部前面壁６２Ｃとが交差する角部も、全て傾斜面を有するように面取りされている。なお、係合突部６２群は、下縁補強リブ５２の先端より側部突壁５４の先端側に離れて配置されている。
【００５３】
図１７に示すように、主板壁５１の内面には、１対の縦リブ５８，５８と１対の横リブ５５，５５とが突出形成されている。これら１対の縦リブ５８，５８は、箱体１０の平面形状における短手方向を４等分する３つの仕切位置のうち中央以外の２つの仕切位置に配置されている。その結果、図１５に示すように、底部ベース１１の短手方向に並んだ３つの底板上面リブ１２Ｍのうち中心の底板上面リブ１２Ｍの両隣の底板上面リブ１２Ｍ３に対応した配置になっている。これら縦リブ５８は、上下方向に延び、下縁補強リブ５２と上縁補強リブ５３との間を連絡している。また、縦リブ５８の主板壁５１からの突出量は、下縁補強リブ５２及び上縁補強リブ５３の突出量より小さくなっている。
【００５４】
また、１対の横リブ５５，５５は、第２側壁５０の上下方向のうち突部分割溝６２Ｍ，６２Ｍと同じ高さとなる位置に配置されて水平方向に延び、１対の側部突壁５４，５４の間を連絡している。そして、横リブ５５の両端部には、係合突部６２側に突出したサイド突部６０，６０が設けられている（図１７には、横リブ５５の一端側のサイド突部６０のみが示されている）。
【００５５】
図１９に示すように、サイド突部６０には、係合突部６２の突部先端壁６２Ａより第２側壁５０の横方向の中央寄り位置から立ち上がり、側部突壁５４寄り位置に向かうに従って徐々に係合突部６２側に迫り出した傾斜ガイド面６０Ａと、サイド突部６０における側部突壁５４寄り位置から側部突壁５４まで主板壁５１と平行に延びた突出平坦面６０Ｂとが備えられている。また、サイド突部６０の突出平坦面６０Ｂは、第２側壁５０の内外方向において下縁補強リブ５２の先端と同じ位置に配置され、係合突部６２の突部前面壁６２Ｃより主板壁５１側に離れて配置されている。なお、図１７に示すように、横リブ５５のうちサイド突部６０以外の部分の主板壁５１からの突出量は、縦リブ５８の突出量と同じになっている。
【００５６】
上縁補強リブ５３の先端部のうち両端寄り位置には、１対の側壁係止部５９，５９が設けられている。図１９に示すように、各側壁係止部５９は、上縁補強リブ５３の一部を突出させてなり、側壁係止部５９全体がサイド突部６０の突出平坦面６０Ｂより主板壁５１から離れる側に配置されている。また、側壁係止部５９は、第２側壁５０の横方向の中央寄りに傾斜ガイド面６０Ａと同様に傾斜したガイド斜面５９Ａを有する一方、その反対側に上縁補強リブ５３の先端面と直交した係合面５９Ｂを有し、さらに、ガイド斜面５９Ａと係合面５９Ｂとの間が主板壁５１と平行な先端面５９Ｃになっている。そして、係合面５９Ｂが係合突部６２の突部先端壁６２Ａより僅かに第２側壁５０の横方向の中央寄りに位置している。また、本実施形態では、第１側壁３０における第２側縁補強リブ３３の上端部が側壁係止部５９との係合相手としての側壁係止部３３Ｋ（図２１参照）になっている。
【００５７】
図１８に示すように、第２側壁５０における主板壁５１の外面には、第１側壁３０と同様に、横リブ５５及び縦リブ５８の真裏となる位置を溝状に窪ませてリブ裏溝５０Ｍが形成されている。なお、第２側壁５０の外面における上端部中央には、主板壁５１の一部を内側に膨出させて主板壁５１の外面に開口した袋状の手差部５０Ｈが形成されている。
【００５８】
本実施形態の箱体１０の構成に関する説明は以上である。次に、箱体１０の作用効果について説明する。箱体１０は、以下のようにして折り畳んだり組み立てたりすることができる。図１に示すように、組立状態になった箱体１０を折り畳むには、図２３及び図２４に示すように、まずは、何れか一方の第１側壁３０を内側に倒して底壁１２の上に重ね、次いで、図２５及び図２６に示すように、他方の第１側壁３０を内側に倒して、一方の第１側壁３０の上に重ねる。
【００５９】
すると、図２７に示すように、先に折り畳まれた第１側壁３０に関しては、回動ピン３９Ｓがピン係合溝１９Ｊの下端部まで移動してピン支持突部３９Ｃがヒンジ凹部１９の凹部底壁１９Ａに当接することで、第１側壁３０の回動中心側の基端部が底壁１２より上方に離間した位置に保持される一方、回動中心から離れた側の先端部が底壁１２に当接する。即ち、先に折り畳まれた第１側壁３０は、先端部が基端部より下方に位置した先端下がりの傾斜姿勢で折畳状態になる。
【００６０】
これに対し、後に折り畳まれた第１側壁３０に関しては、先に折り畳まれた第１側壁３０に当接することで回動ピン３９Ｓがピン係合溝１９Ｊの上端寄り位置に保持される。そして、後に折り畳まれた第１側壁３０は、先端上がりの傾斜姿勢で折畳状態になって、先に折り畳まれた第１側壁３０を上方に平行移動した位置に配置される。また、上側の第１側壁３０の一部は、第１支持突部１３より上方に突出した状態になる。
【００６１】
次いで、１対の第２側壁５０，５０を内側に倒すようにして折り畳む。すると、図２８に示すように、各第２側壁５０が中央支持突部１７と第２支持突部１４との間に収まり、各第２側壁５０の側部突壁５４，５４における先端面がそれぞれ第１支持突部１３，１３の上面１３Ｊ，１３Ｊに当接し、箱体１０全体が折畳状態になる。この折畳状態で、第１側壁３０のうち第１支持突部１３より上方に突出した部分は、各第２側壁５０における側部突壁５４，５４の間に収まる。また、第２側壁５０における主板壁５１の外面は、底部ベース１１の水平段差面２０と略同等位置に配置される。
【００６２】
なお、図３１に示すように、折畳状態の箱体１０に対し、底部ベース１１の上端部の支持上面突部２２群の外側に蓋体７０の蓋側壁７５を嵌合させて箱体１０と組み合わせることができる。その際、蓋体７０の蓋下面リブ８０が底部ベース１１のリブ受容溝２３に受容される。また、折畳状態の箱体１０と蓋体７０とを組み合わせてなる展示台９０の全高は、組立状態の箱体１０と蓋体７０とを組み合わせてなる展示台９０の全高の、丁度、１／３倍の高さになる。
【００６３】
折畳状態の箱体１０を組立状態にするには、上記した操作と逆の操作を行う。即ち、１対の第２側壁５０，５０を回動して起こす。すると、第２側壁５０におけるヒンジ突部３９のピン支持突部３９Ｃが第２支持突部１４のヒンジ凹部１９における第２外側壁１４Ｂ（図９参照）の内面に当接して位置決めされ、第２側壁５０における下縁補強リブ５２の下面が第２支持突部１４の上面１４Ｊに当接して、第２側壁５０が第２支持突部１４上で起立した起立状態になる。
【００６４】
図２５に示すように、両第２側壁５０，５０を起立状態にしたら、２枚重ねになって折り畳まれている１対の第１側壁３０，３０を上から順番に回動して起こす。上側の第１側壁３０を起こすには、例えばその第１側壁３０のうち底部ベース１１の第１支持突部１３より上方に突出している部分（例えば、嵌合ブロック４０等）に手を掛けて起こせばよい。これに対し、下側の第１側壁３０の先端部分と第１支持突部１３の内側面１３Ｅとの間には僅かな隙間しかないので、そこに手を差し込むことが困難である（図２７参照）。
【００６５】
しかしながら、その第１側壁３０は、先端下がりの傾斜姿勢で折り畳まれて基端側が底壁１２から浮いていて、しかも、第１側壁３０の基端側に中央矩形凹部３０Ａが形成されているので、その中央矩形凹部３０Ａを通して底壁１２と第１側壁３０との間に指を挿入することができる。また、その中央矩形凹部３０Ａの縁部に形成された中央横リブ３５Ｂには、その一部を切り欠いて手差部３５Ｃが形成されているので、これにより底壁１２と第１側壁３０との間が広くなり、そこに容易に指を挿入することができる。その上、中央横リブ３５Ｂのうち手差部３５Ｃを形成したことで主板壁３１からの突出量が小さくなった部分に指を引っ掛けることができ、容易に、第１側壁３０を先端上がりの傾斜姿勢になるまで起こすことができる。
【００６６】
そして、その第１側壁３０の嵌合ブロック４０を第１支持突部１３より高い位置に持ち上げてから、嵌合ブロック４０に手を掛けてさらに第１側壁３０を起こせばよい。すると、その第１側壁３０の起立過程で、図２０に示すように、第２側壁５０の係合突部６２群が下側から順番に第１側壁３０における第１と第２の側縁補強リブ３２，３３の間に嵌合されて行くと共に（図２２参照）、第１と第２の側縁補強リブ３２，３３の間の横リブ３５が、係合突部６２，６２同士の間の突部分割溝６２Ｍ内に受容されて行く。
【００６７】
ここで、第１側壁３０を起こして行く際に、例えば、第２側壁５０が正規の起立状態より僅かに内側に傾いていて、係合突部６２群が第１と第２の側縁補強リブ３２，３３の間の開口と対向していなくても、第１側壁３０の側縁部が第２側壁５０におけるサイド突部６０の傾斜ガイド面６０Ａと摺接することで正規の起立状態にすることができる。そして、サイド突部６０の先端の突出平坦面６０Ｂに第１側壁３０の第２側縁補強リブ３３を沿わせて移動し、係合突部６２群を側部係合溝３４Ｍにスムーズに凹凸係合させることができる。
【００６８】
また、第１側壁３０が起立状態になる直前には、第２側壁５０における側壁係止部５９（図１９参照）のガイド斜面５９Ａに第１側壁３０の側壁係止部３３Ｋ（第２側縁補強リブ３３の上端部）が摺接し、第２側壁５０における側壁係止部５９と係合突部６２との間の壁部（例えば、側部突壁５４等）を僅かに弾性変形させる。そして、さらに、第１側壁３０を起立方向に回動していくと、第２側壁５０と同様に、第１側壁３０におけるヒンジ突部３９のピン支持突部３９Ｃが第１支持突部１３のヒンジ凹部１９における第１外側壁１３Ｂ（図９参照）の内面に当接して位置決めされ、第１側壁３０における下縁補強リブ３６の下面が第１支持突部１３の上面１３Ｊに当接して、第１側壁３０が第１支持突部１３上で起立した起立状態になる。また、第１側壁３０が起立状態になると、第１側壁３０の側壁係止部３３Ｋが第２側壁５０の側壁係止部５９を通過して第２側壁５０の一部の弾性変形した部分が弾性復帰し、図２１に示すように、第２側壁５０の側壁係止部５９の係合面５９Ｂが第１側壁３０の側壁係止部３３Ｋに係合して、第１側壁３０が起立状態に係止される。これにより、箱体１０全体が組立状態になる。
【００６９】
箱体１０が組立状態になると、図２１に示すように、第２側壁５０のコーナー突片５７が第１側壁３０におけるコーナー嵌合ブロック４１のブロックサブ前面壁４１Ｄに重なり、コーナー突片５７の外面とコーナー嵌合ブロック４１におけるブロック前面壁４１Ｃの外面とが面一になると共に、嵌合ブロック４０，５６群及びコーナー嵌合ブロック４１の全ての上面が面一になる。また、コーナー嵌合ブロック４１における一方のブロック側面壁４１Ｂの外面からコーナー突片５７を有した嵌合ブロック５６におけるブロック前面壁５６Ｃの外面までの距離Ｌ１が、各嵌合ブロック４０，５６の横方向の全長と同じになる。さらに、図１に示すように、第１側壁３０の段差水平面２５と第２側壁５０の段差水平面２５とが面一になる。これにより、箱体１０の外面全周に亘ってその上端寄り位置に枠状の段差水平面２５が形成されると共に、その枠状の段差水平面２５の内側に、嵌合ブロック４０，５６群及びコーナー嵌合ブロック４１群から構成された枠形嵌合壁１０Ｋが形成される。
【００７０】
図１に示すように組立状態にされた箱体１０の上面に対しては、枠形嵌合壁１０Ｋの外側に蓋体７０の蓋側壁７５を嵌合させることができる（図３０参照）。すると、図２９に示すように、枠形嵌合壁１０Ｋの内側に回動規制突部２９群が受容されて、第１と第２の側壁３０，５０の内側への回動が規制される。より詳細には、本実施形態では、回動規制突部２９を、蓋体７０の下面を長手方向で２分割してなる１対の正方形領域のそれぞれの四隅に配置したので、短辺側の第２側壁５０における横方向の両端部に回動規制突部２９を対向配置することができると共に、長辺側の第１側壁３０に関してはその横方向の両端部に加え、中央にも１対の回動規制突部２９，２９を対向配置することができる。これにより、第１と第２の側壁３０，５０の不用意な回動を効果的に防ぐことができると共に、長辺側の第１側壁３０に関しては、横方向の中央部分が内側に撓み変形することも防ぐことができる。
【００７１】
また、図３２に示すように、２つの箱体１０，１０をそれらの長辺部分を隣り合わせにして全体の平面形状が正方形になるように配置し、それら２つの箱体１０，１０とは縦横が逆になった１つの蓋体７０で、２つの箱体１０，１０の半面ずつを覆い、両枠形嵌合壁１０Ｋ，１０Ｋの半分ずつを１つの蓋体７０の内側に嵌合することもできる。そして、これと同様に、２つの箱体１０，１０の残りの半面ずつを他の蓋体７０で覆い、図３３に示すように、２つの箱体１０，１０に跨って２つの蓋体７０，７０を嵌合させて、展示台９０，９０同士を連結することもできる。
【００７２】
また、このように２つの箱体１０，１０に跨って２つの蓋体７０，７０を嵌合させた場合と、蓋体７０と箱体１０との縦横を同じにして嵌合させた場合（図３０参照）とで、各箱体１０における回動規制突部２９群の配置は同じになる。これにより、２つの箱体１０，１０に跨って２つの蓋体７０，７０を嵌合させた場合も回動規制突部２９群によって、第１と第２の側壁３０，５０の内側への回動を防ぐことができると共に、長辺側の第１側壁３０の中央部分の撓み変形を防ぐこともできる。
【００７３】
さらに、図１に示すように、枠形嵌合壁１０Ｋには、その各短辺部分のうち箱体１０の平面形状の短手方向をＮ等分（具体的には、４等分）する仕切位置と、枠形嵌合壁１０Ｋの各長辺部分のうち箱体１０の平面形状の長手方向を２Ｎ等分（具体的には、８等分）する仕切位置とに分割溝２４が形成されているので、任意の分割溝２４に蓋体７０の蓋側壁７５を受容させて、箱体１０の短手方向の全長のＮ分の１（例えば、４分の１）ずつ単位で、蓋体７０を箱体１０に対して縦横に移動して位置決めすることができる。
【００７４】
さらに、蓋体７０を２枚重ねたときに、下側の蓋体７０の角形突部２８群の外側に上側の蓋体７０を嵌合させることができるので、図３４に示すように、蓋体７０を複数重ねて展示台９０として使用することもできる。また、蓋上面嵌合突部２８Ｋには、分割溝２４及び蓋下面リブ８０と同様の仕切位置に配置された蓋上面溝２７が形成されているので、蓋体７０，７０同士を重ねるときも、箱体１０の上に蓋体７０を重ねる場合と同様に、上記した蓋体７０の全長のＮ分の１ずつ単位で、上側の蓋体７０を下側の蓋体７０に対して縦横に移動して位置決めすることができる。
【００７５】
また、図２７に示すように、箱体１０の下面外縁部からは下面嵌合突壁１５Ｋが突出していて、その下面嵌合突壁１５Ｋの内側に蓋体７０の蓋上面嵌合突部２８Ｋを嵌合することもできる。そして、蓋体７０の上に箱体１０を重ねるときも、上記した箱体１０の全長のＮ分の１ずつ単位で、箱体１０をその下側の蓋体７０に対して縦横に移動して位置決めすることができる。
【００７６】
さて、図２９及び図３３に示すように、組立状態の箱体１０に蓋体７０を組み付けてなる展示台９０の上に展示物を載置すると、その展示物から荷重を受けて、第１及び第２の側壁３０，５０が、底部ベース１１と蓋体７０との間で突っ張り状態になる。これに対し、本実施形態の箱体１０では、図２２に示すように、第２側壁５０の両側部を直角に曲げてなる側部突壁５４が第１側壁３０の外側に重ねられているので、第１側壁３０の外側への変形が規制される。また、側部突壁５４の係合突部６２群と第１側壁３０の側部係合溝３４Ｍとが凹凸係合することで、第２側壁５０の外側への変形が規制される。そして、第２側壁５０の内側面の横方向全体に亘って延びた複数の横リブ５５の両端部を側部突壁５４に接続したことで側部突壁５４の外側への変形も規制されて、第１側壁３０の外側への変形規制が強化されると共に、係合突部６２と側部係合溝３４Ｍとの凹凸係合の強度が上がって、第２側壁５０の外側への変形規制も強化される。その上、側部係合溝３４Ｍ及び係合突部６２は、上下方向の延びた形状になっているので、第２側壁５０の外側への変形規制により側部係合溝３４Ｍ及び係合突部６２の間にかかる負荷が、それら側部係合溝３４Ｍ及び係合突部６２の長手方向（上下方向）に分散し、側部係合溝３４Ｍ及び係合突部６２の変形も抑えられる。これらにより、箱体１０の許容積載重量を従来より上げることができる。しかも、各横リブ５５にサイド突部６０を設けて各横リブ５５の両端部を中間部より突出させたので、横リブ５５の両端部と側部突壁５４との接続長を長く確保して側部突壁５４の補強を強化することができると共に、第１側壁３０の回動操作時には、その第１側壁３０と横リブ５５の中間部との間の隙間を大きく確保することができ、第１側壁３０のスムーズな回動操作が可能になる。さらに、本実施形態の箱体１０では、蓋体７０の蓋側壁７５が第１及び第２の側壁３０，５０の上端部の外側に嵌合されるので、このことによっても箱体１０の許容積載重量を従来より上げることができる。
【００７７】
［他の実施形態］
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
【００７８】
（１）前記実施形態では、蓋体７０を嵌合して展示台９０として使用される箱体１０に本発明を適用した例を示したが、蓋体を嵌合せずに、上下を逆にして底部ベースを第１及び第２の側壁の上方に配置した状態で展示台として使用される箱体や、蓋体を嵌合して収納箱として使用される箱体に本発明を適用してもよい。
【００７９】
（２）前記実施形態の箱体１０における複数の係合突部６２は、上下方向の延びた直方体形状をなしていたが、例えば、複数の係合突部６２を立方体形状にしてもよい。
【符号の説明】
【００８０】
１０    箱体
１１    底部ベース
１２    底壁
３０    第１側壁
３４Ｍ  側部係合溝（係合凹部）
５０    第２側壁
５４    側部突壁
６０    サイド突部
６０Ａ  傾斜ガイド面
６０Ｂ  突出平坦面
６２    係合突部
７０    蓋体
９０    展示台
【図１】
2014043252.tif 000003
【図２】
2014043252.tif 000004
【図３】
2014043252.tif 000005
【図４】
2014043252.tif 000006
【図５】
2014043252.tif 000007
【図６】
2014043252.tif 000008
【図７】
2014043252.tif 000009
【図８】
2014043252.tif 000010
【図９】
2014043252.tif 000011
【図１０】
2014043252.tif 000012
【図１１】
2014043252.tif 000013
【図１２】
2014043252.tif 000014
【図１３】
2014043252.tif 000015
【図１４】
2014043252.tif 000016
【図１５】
2014043252.tif 000017
【図１６】
2014043252.tif 000018
【図１７】
2014043252.tif 000019
【図１８】
2014043252.tif 000020
【図１９】
2014043252.tif 000021
【図２０】
2014043252.tif 000022
【図２１】
2014043252.tif 000023
【図２２】
2014043252.tif 000024
【図２３】
2014043252.tif 000025
【図２４】
2014043252.tif 000026
【図２５】
2014043252.tif 000027
【図２６】
2014043252.tif 000028
【図２７】
2014043252.tif 000029
【図２８】
2014043252.tif 000030
【図２９】
2014043252.tif 000031
【図３０】
2014043252.tif 000032
【図３１】
2014043252.tif 000033
【図３２】
2014043252.tif 000034
【図３３】
2014043252.tif 000035
【図３４】
2014043252.tif 000036